(57)【要約】【課題】  ケーキの製造者にとってケーキ類のデコレーション作業がしやすく、食する者にとってケーキ類のカットが容易にでき、持ち運びに便利なケーキ用包装容器を提供する。【解決手段】  上面にケーキ載置用の底板と、底板の外周縁より垂れ下る垂下壁と、垂下壁の外周縁にフランジを有する合成樹脂製の容器本体と、上面に天板と側壁と下端部に開口部を有する合成樹脂製の蓋体とを備え、底板が、中心部を上位とする上方向に膨れ緩やかな曲面をなす杯状又は底板の中心部を含む部分を上階とし外周縁に向かい下がる階段状に形成され、蓋体を容器本体に容器本体を蓋体で閉止可能とする。【選択図】        図１
2010013158.tif 000002
【特許請求の範囲】
【請求項１】
上面にケーキ載置用の底板を備え、前記底板の外周縁より垂れ下る垂下壁を設け、該垂下壁の外周縁にフランジを有する合成樹脂製の容器本体と、該容器本体の上面側に被せ閉蓋される上面に天板と該天板の外周縁に連なる側壁と該側壁の下端部に開口部を有する合成樹脂製の蓋体とを備え、
前記容器本体の前記底板が、該底板の中心部を上位とする上方向に膨れ緩やかな曲面をなす杯状又は前記底板の中心部を含む部分を上階とし外周縁に向かい下がる階段状に形成され、
前記蓋体を前記容器本体に被せ前記容器本体を前記蓋体で閉止可能に構成されていることを特徴とするケーキ用包装容器。
【請求項２】
前記底板の上面に該底板の中心部より外周方向に放射線状に上方向に凸状で、且つ、前記底板の中心部を最上位とし外周方向に緩やかな下り勾配の曲線をなすガイド部が設けられていることを特徴とする請求項１記載のケーキ用包装容器。
【請求項３】
前記底板の上面に前記底板の中心部を中心とする円を描く畝が設けられ、該畝の前記底板の中心部から外周方向に向かって切断した断面が上方向に向かって山型形状であることを特徴とする請求項１または２に記載のケーキ用包装容器。
【請求項４】
前記底板の上面に上方向に凸状の突起が形成され、且つ、該突起が前記底板の中心部を中心とする所定寸法の直径の円周上に複数設けられていることを特徴とする請求項１〜３のいずれかに記載のケーキ用包装容器。
【請求項５】
前記蓋体の前記天板上面に保冷剤を収納する保冷剤収納部が設けられていることを特徴とする請求項１〜４のいずれかに記載のケーキ用包装容器。
【発明の詳細な説明】
【技術分野】
【０００１】
本発明は、バースデーケーキやクリスマスケーキ等のデコレーションケーキ類を収容するテイクアウト用、携帯用等に用いられるケーキ用包装容器に関する。
【背景技術】
【０００２】
従来、円柱状や頂部が円錐形状となったデコレーションケーキ類を店頭で購入し持ち帰るテイクアウト用容器、あるいは自家製のデコレーションケーキ類を収容し、持ち運びするための携帯用容器としては、多種多様の構造を有する容器が知られているが、一般的には、前後両側部が全開口されたトンネル型の箱本体と、該箱本体の前後の開口部を全開,全閉するための開閉蓋部とを備えたケーキ類の紙製容器が知られている（例えば、特許文献１参照）。あるいは、デコレーションケーキ類を載置する四角なトレーの周縁からやゝ内側寄りに蓋体のガイドとなる低い周壁を立設した浅底の容器本体と、ケーキの高さ以上の深さの側壁を有し、容器本体の前記周壁に外嵌される蓋体とによって構成した紙製容器が慣用されている。これらの紙製容器には、厚紙台紙の中心にケーキ固定用の金具を有するトレーにケーキ類の中心を固定用の金具に突き刺して載置したケーキ類を収容して閉蓋した後、例えば、紙製容器全体にリボン等を結んで持ち運ばれる。
【０００３】
しかしながら、紙製容器には紙粉が発生したり、特に紙の端面に紙粉が付着していることがあり、これらの紙粉があるとケーキ類に付着し、食品衛生上好ましいものではない。また、ケーキを載置したトレーの中心にはケーキ固定用の金具があるために、紙製容器からトレーを取出し、円形のケーキをナイフ等でカットする際にナイフ等が金具に当たり、邪魔になったり、不快感を感じたりする。また、トレーには、ケーキ類を載置する目印がなく、ケーキ類がトレーからはみださないように載置するのに手間がかかるものとなっていた。
【０００４】
また、ケーキ載置用の合成樹脂製の容器底本体と、この容器底本体の上面側に被せられる合成樹脂製の透明な蓋体とを備え、容器底本体の上面には、上方向に突出する凸状部がこの容器底本体の外周縁に沿って一連に形成されている合成樹脂製の容器が提案されている（例えば、特許文献２参照）。上記容器は、合成樹脂製とすることにより、紙粉の問題は解消されているが、容器底本体の上面には、この容器底本体の外周縁に沿って一連に上方向に突出する凸状部が形成されているために、ケーキを生クリーム等でデコレーションする際に邪魔になり、さらにケーキをナイフ等でカットする際に凸状部にナイフ等があたりケーキの外周縁部が一部カットできないために、ナイフ等をずらしてカットする必要があり手間がかかるという問題がある。また、容器底本体には目印がないために容器本体の中心とケーキ類の中心がほぼ一致するように載置するのに手間がかかるという問題がある。
【特許文献１】実用新案登録第３０４８９６０号公報
【特許文献２】実用新案登録第３０２２０５９号公報
【発明の開示】
【発明が解決しようとする課題】
【０００５】
そこで本発明は、上記問題を解決すべくなされたものであり、その目的とするところは、ケーキの製造者あるいは販売者にとってケーキ類のデコレーション作業がしやすく、消費者あるいは食する者にとってケーキ類のカットが容易にでき、持ち運びに便利なケーキ用包装容器を提供することである。
【課題を解決するための手段】
【０００６】
本発明は、上記課題を達成するために、請求項１記載の本発明は、上面にケーキ載置用の底板を備え、前記底板の外周縁より垂れ下る垂下壁を設け、該垂下壁の外周縁にフランジを有する合成樹脂製の容器本体と、該容器本体の上面側に被せ閉蓋される上面に天板と該天板の外周縁に連なる側壁と該側壁の下端部に開口部を有する合成樹脂製の蓋体とを備え、前記容器本体の前記底板が、該底板の中心部を上位とする上方向に膨れ緩やかな曲面をなす杯状又は前記底板の中心部を含む部分を上階とし外周縁に向かい下がる階段状に形成され、前記蓋体を前記容器本体に被せ前記容器本体を前記蓋体で閉止可能に構成されていることを特徴とするケーキ用包装容器である。
【０００７】
また、請求項２記載の本発明は、請求項１記載のケーキ用包装容器において、前記底板の上面に該底板の中心部より外周方向に放射線状に上方向に凸状で、且つ、前記底板の中心部を最上位とし外周方向に緩やかな下り勾配の曲線をなすガイド部が設けられていることを特徴とするものである。
【０００８】
また、請求項３記載の本発明は、請求項１または２に記載のケーキ用包装容器において、前記底板の上面に前記底板の中心部を中心とする円を描く畝が設けられ、該畝の前記底板の中心部から外周方向に向かって切断した断面が上方向に向かって山型形状であることを特徴とするものである。
【０００９】
また、請求項４記載の本発明は、請求項１〜３のいずれかに記載のケーキ用包装容器において、前記底板の上面に上方向に凸状の突起が形成され、且つ、該突起が前記底板の中心部を中心とする所定寸法の直径の円周上に複数設けられていることを特徴とするものである。
【００１０】
また、請求項５記載の本発明は、請求項１〜４のいずれかに記載のケーキ用包装容器において、前記蓋体の前記天板上面に保冷剤を収納する保冷剤収納部が設けられていることを特徴とするものである。
【発明の効果】
【００１１】
本願発明にかかるケーキ用包装容器は、上面にケーキ載置用の底板を備え、前記底板の外周縁より垂れ下る垂下壁を設け、該垂下壁の外周縁にフランジを有する合成樹脂製の容器本体と、該容器本体の上面側に被せ閉蓋される上面に天板と該天板の外周縁に連なる側壁と該側壁の下端部に開口部を有する合成樹脂製の蓋体とを備え、前記容器本体の前記底板が、該底板の中心部を上位とする上方向に膨れ緩やかな曲面をなす杯状又は前記底板の中心部を含む部分を上階とし外周縁に向かい下がる階段状に形成され、前記蓋体を前記容器本体に被せ前記容器本体を前記蓋体で閉止可能な構成とすることにより、デコレーションケーキが底板に載置されるとスポンジケーキの下部の中心部分が上方向に膨れ上位となる底板の中心部に食い込むことによりケーキの位置ズレが防止できる。
【００１２】
また、請求項２記載の本発明は、底板の上面に該底板の中心部より外周方向に放射線状に上方向に凸状で、且つ、底板の中心部を最上位とし外周方向に緩やかな下り勾配の曲線をなすガイド部を設けた構成とすることにより、ケーキをカットするガイドラインの役目を果たしケーキをナイフ等で均等にカットできる。さらにガイド部がリブとなり底板の補強となると共に容器本体の成形時において底板の変形防止効果が得られる。また、ケーキの滑り防止にもなり安心して持ち運び可能となる。
【００１３】
また、請求項３記載の本発明は、底板の上面に底板の中心部を中心とする円を描く畝が設けられ、該畝の底板の中心部から外周方向に向かって切断した断面が上方向に向かって山型形状であることにより、より一層ケーキの位置ズレ防止効果があり安心して持ち運びできる。また畝を山型の形状とすることにより、カットされたケーキをサーバーで取り分ける際に畝が障害とならずにスムーズにおこなえる。
【００１４】
また、請求項４記載の本発明は、底板の上面に上方向に凸状の突起が形成され、且つ、該突起が底板の中心部を中心とする所定寸法の直径の円周上に複数設けられている構成とすることにより、ケーキを底板の上面に載置する目安となり、位置決めが容易にできケーキの中心と底板の中心部がほぼ一致するようケーキを載置できる。さらにケーキの滑り防止効果があり、安心してケーキを持ち運びできる。
【００１５】
また、請求項５記載の本発明は、蓋体の天板上面に保冷剤を収納する保冷剤収納部を設ける構成とすることにより、保冷剤を収納した状態で持ち運ぶことができる。
【発明を実施するための最良の形態】
【００１６】
上記の本発明について、図面等を用いて以下に説明する。
図１は本発明にかかるケーキ用包装容器の一実施形態を示す斜視図、図２は本発明にかかるケーキ用包装容器の容器本体を示す平面図、図３は図２のＸ−Ｘ線断面図、図４は本発明にかかるケーキ用包装容器の蓋体を示す図１におけるＹ−Ｙ線断面図、図５は本発明の一実施形態の使用状態を示す斜視図、図６は図５のＺ−Ｚ線断面図、図７は本発明にかかるケーキ用包装容器の容器本体のその他の実施形態を示す平面図、図８は図７のＸ’−Ｘ’線断面図であり、図中の符号１、１’は容器本体、２は蓋体、３はデコレーションケーキ、１０、１０’は底板、１１は垂下壁、１１ａは第一垂下壁、１１ｂは第二垂下壁、１２はフランジ、１３は中心部、１４はヒンジ部、１５は嵌合片、１５ａはフック部、１６はガイド部、１７は畝、１７ａは緩斜面、１７ｂは急斜面、１８は突起、２０は天板、２１は側壁、２２は開口部、２３はフック受部、２４は膨出壁、２５は保冷剤収納部、２５ａは通気口、２６は把手、２７は把手収納部、Ａはケーキ用包装容器、θ1  、θ2 は傾斜角をそれぞれ示す。
【００１７】
図１は、本発明にかかるケーキ用包装容器の一実施形態の構成を説明するために分解して示した斜視図であり、図中の一点鎖線は包装される例えばデコレーションケーキを示している。図１に示すように本発明のケーキ用包装容器Ａは、デコレーションケーキ３を載置するための合成樹脂製の容器本体１と、該容器本体１の上面側に被せて閉蓋される合成樹脂製の蓋体２とを具備して構成されている。
【００１８】
図２は、容器本体１の平面図であり、図３は図２のＸ−Ｘ線断面図である。容器本体１は、上面にケーキ載置用の底板１０を備え、底板１０の外周縁には外周縁より垂れ下る垂下壁１１を設け、該垂下壁１１の外周縁に沿って外方に蓋体２の厚さに相当する程度、水平に伸びるフランジ１２等を具備して構成されている。
【００１９】
また、垂下壁１１には高さ方向のほぼ中間位置から底板１０にいたる第一垂下壁１１ａと該中間位置からフランジ１２にいたる部分が第一垂下壁１１ａよりやや外方に膨出した第二垂下壁１１ｂから構成されている。なお、垂下壁１１は、第一垂下壁１１ａと第二垂下壁１１ｂとしたが、これに限定されるものではなく、任意であるが、このように２段構造の垂下壁１１とした方が容器本体１のスタッキング（積上げ）適性が向上するので好ましい。
【００２０】
容器本体１の底板１０は、図１、図３に示すように底板１０の中心部１３を上位とする上方向に膨れ緩やかな曲面をなす杯状に形成されている。さらに、フランジ１２の外周縁には、ヒンジ部１４を介して舌片状の嵌合片１５が外方に延設してほぼ外周を等分する位置に３ケ設けられている。また嵌合片１５には蓋体２のフック受部に嵌合される上方に向かって逆Ｌ字形のフック部１５ａを備えている。嵌合片１５の数は、包装するケーキの大きさ、重量により適宜設けることができる。通常３ケ〜４ケである。
【００２１】
また、底板１０の上面には、該底板１０の中心部１３より外周方向に放射線状に上方向に凸状で中心部１３と外周側を結ぶ方向に対して直交する断面が角形状で且つ、底板１０の中心部１３を最上位とし外周方向に緩やかな下り勾配の略弓形の曲線をなすガイド部１６が底板１０を均等に分割するように６ケ設けられている。ガイド部１６は、底板１０に載置されたデコレーションケーキをカットするガイドラインとなりガイド部１６に沿ってナイフ等で均等にケーキをカットできる。さらにガイド部１６がリブとなり底板１０の強度が補強されることによって容器本体１の変形を防ぐ効果やケーキの滑り防止効果にもなる。
【００２２】
さらに底板１０の上面には、底板１０の中心部１３を中心とする円を描くように畝１７が２ケ所設けられている。図３の円内に畝１７の拡大断面図を示す。該図に示すように畝１７の底板１０の中心部１３から外周方向に向かって切断した断面が上方向に向かって山型形状をなし、底板１０の外周縁側が緩斜面１７ａで中心部１３側が急斜面１７ｂとなっている。つまり、底板１０の外周縁側の緩斜面１７ａが底板１０の延長線となす傾斜角θ1 、中心部１３側の急斜面１７ｂが底板１０の延長線となす傾斜角θ2 の関係がθ1 ≦θ2 であって、傾斜角θ1 は３０〜４５°が好ましく、傾斜角θ2 は４５〜９０°が好ましい。底板１０の外周縁側を緩斜面１７ａとすることにより、カットされたケーキを底板１０からサーバーで取り分ける際、畝１７が障害とならずにスムーズに行え、底板１０の中心部１３側を急斜面１７ｂとすることにより、ケーキの位置ズレ防止ができ、安心して持ち運べるものである。
【００２３】
また、底板１０の上面には、上方向に凸状の突起１８が形成され、且つ、該突起１８が底板１０の中心部１３を中心とする所定寸法の直径、例えば、１５ｃｍ及び１８ｃｍの円周上にそれぞれ複数設けられている。突起１８の数はケーキの大きさにより適宜設けることができるが、例えば、５号ケーキや６号ケーキの場合で通常、２０〜１００ケでよい。突起１８の形状は、先端に向かい細くなっておればよく、例えば、半球面状、円錐形状、角錐形状が好ましい。突起１８は、ケーキを底板１０の上面に載置する際の目安となるものであり、これにより容易に位置決めができケーキの中心と底板１０の中心部１３がほぼ一致するようにケーキを載置することができる。また、ケーキの滑り防止にもなり、安心してケーキを持ち運びできる。直径１５ｃｍは５号ケーキ載置用、直径１８ｃｍは６号ケーキ載置用に設けたものである。なお、畝１７及び突起１８で描く円は１ケ所もしくは複数設けてもよい。但し、畝１７は突起１８で描く円よりも底板１０の中心部１３側に設けることが好ましく、そうすることによりケーキの載置する位置が多少ずれても必ずケーキは畝１７上に載置されることとなり、ケーキの滑り防止が確実にできる。
【００２４】
次に、図１、図４を参照しながらケーキ用包装容器Ａの蓋体２を説明する。蓋体２は、上面に天板２０と、この天板２０の外周縁に連なる側壁２１を備え、この側壁２１の下端部が開口部２２とされたドーム状の形状である。蓋体２の側壁２１の下部は側壁２１の外周に沿って設けられたフック受部２３を介して外方に膨出した膨出壁２４が設けられている。また、フック受部２３はＵ字溝状に形成されている。蓋体２を容器本体１に被せると膨出壁２４の内面が容器本体１の第二垂下壁１１ｂに嵌合されると共に、垂下壁１１の下端縁が容器本体１のフランジ１２に当接され閉蓋される構成となっている。さらに嵌合片１５をヒンジ部１４で折り返して嵌合片１５の逆Ｌ字形のフック部１５ａを蓋体２のＵ字溝状のフック受部２３に嵌合させることによりロックされ、容器本体１を蓋体２で閉止可能とするものである。なお、Ｕ字溝状のフック受部２３を側壁２１の外周に沿って設けられているのでフック部１５ａを嵌合させる際、位置合わせする必要がなく利用者に利便性を与える効果がある。
【００２５】
蓋体２の天板２０の上面には、中央付近に保冷剤を収納する保冷剤収納部２５が設けられている。保冷剤収納部２５は、保冷剤が収納できる深さ程開口部２２側に矩形状に凹んで形成され、保冷剤収納部２５の底面には、保冷剤の冷気がケーキ用包装容器Ａ内に充たせるように複数のスリット状の通気口２５ａが形成されている。
【００２６】
さらに天板２０の中央部には、例えば、合成樹脂製のコの字形の把手２６が付設されるとともに把手２６を収納する把手収納部２７が開口部２２側に凹状に、且つ、把手２６を収納すると天板２０の面より上にはみだすことがないように形成されている。コの字形の把手２６は別部品で例えば、コの字形の把手２６の両端に外側に凸状の突起を設け、これと対応する把手収納部２７の側部の位置に凹部を設けて相互に嵌合させることにより可動自在な構成とされている。
【００２７】
次に、図１、図５、図６を参照しながら上記構成のケーキ用包装容器Ａの使用方法について説明する。図５は本発明の一実施形態の使用状態を示す斜視図であり、図６は図５のＺ−Ｚ線断面図であって蓋体と容器本体がロックされた部分を示す断面図である。まず、図１に示すように容器本体１の底板１０の上面に所定寸法の直径の円周上に設けられている複数の突起１８に沿ってデコレーションケーキ３を載置し、その後、蓋体２の膨出壁２４を容器本体１の第二垂下壁１１ｂに嵌合させ膨出壁２４の下端縁をフランジ１２に当接させて閉蓋する。嵌合片１５をヒンジ部１４で折り返してフック部１５ａをフック受部２３に嵌合することにより、膨出壁２４を第二垂下壁１１ｂとフランジ１２と嵌合片１５とで挟まれて保持され蓋体２が容器本体１に閉止される。その後、図５に示すように把手２６を手で掴み持ち運びされる。フック部１５ａとフック受部２３は図６に示すようにロックされる構成となっているので安心して持ち運べるものである。食するに際しては、フック部１５ａをフック受部２３より外し、蓋体２を取り除き開蓋する。ナイフ等でデコレーションケーキをガイド部１６に沿って、人数分をカットし、底板１０に沿ってサーバーでカットされたケーキを取り分け食される。
【００２８】
図７は本発明にかかるケーキ用包装容器の容器本体のその他の実施形態を示す平面図であり、図８は図７のＸ’−Ｘ’線断面図である。図７、図８に示すように、本発明のその他の実施形態であるケーキ用包装容器は、容器本体１’の構成が一実施形態と異なる。すなわち、容器本体１’の底板１０’が、この底板１０’の中心部１３を含む部分を上階とし外周縁に向かい下がる５段の階段状に形成されている。各階は中心部１３を中心とする同心円の円板状である。階段の数は２〜７段程度でよいが、各段の高さ方向の面は下方から上方に向かって緩やかな登る緩斜面にするほうが好ましく、カットされたデコレーションケーキをサーバーで取り分け易い。
【００２９】
また、底板１０’の上面には、該底板１０’の中心部１３より外周方向に放射線状に上方向に凸状で中心部１３と外周側を結ぶ方向に対して直交する断面が角形状で且つ、底板１０’の中心部１３を最上位とし外周方向に向かって緩やかな下り勾配の略弓形の曲線をなすガイド部１６が底板１０’を均等に分割するように６ケ設けられている。ガイド部１６は、底板１０’に載置されたデコレーションケーキをカットするガイドラインとなりガイド部１６に沿ってナイフ等でケーキを均等にカットできる。さらにガイド部１６がリブとなり底板１０’の強度が補強されることによって容器本体１の変形を防ぐ効果やケーキの滑り防止効果にもなる。
【００３０】
また、底板１０’の上面には、上方向に凸状の突起１８が形成され、且つ、該突起１８が底板１０’の中心部１３を中心とする所定寸法の直径、例えば、１５ｃｍ及び１８ｃｍの円周上にそれぞれ複数設けられている。突起１８の数、形状、作用は一実施形態と同じであり、説明を省略する。また、容器本体１’のその他の構成及び蓋体２は一実施形態と同様である。
【００３１】
本発明のケーキ用包装容器は、透明若しくは着色された合成樹脂を用いて所定の金型を用いて射出成形することにより製造される。使用できる合成樹脂としては、食品安全衛生法に合格し、射出成形適性を有する樹脂であれば限定されるものではないが、ポリエチレン、ポリプロピレン、ポリスチレン、ポリエステル、ポリアミド、ポリアクリロニトリル、アクリル、塩化ビニル等の熱可塑性樹脂が使用できる。なお、容器本体と蓋体との嵌合方法は、上記の形状に限られることなく、周知の嵌合形状を用いることができる。
【００３２】
次に、本発明について、以下に実施例を挙げてさらに詳しく説明する。
【実施例１】
【００３３】
所定の金型を用いてポリプロピレンを射出成形して、図１に示すケーキ用包装容器Ａを作製した。なお、寸法は下記の通りとした。
容器本体：外径２３０ｍｍφ
底板          ：高さ５ｍｍとし外周部に向かって緩やかな曲線をなす杯状
第二垂下壁    ：外径２２３ｍｍφ
第一垂下壁    ：外径２２０ｍｍφ
畝外径        ：１７０ｍｍφ、１５０ｍｍφの位置に２つ設けた。
高さ０．５ｍｍ、傾斜角θ1 、θ2 ＝４５°
ガイド部      ：中心より６０°間隔で放射線状に６本形成。
高さ２ｍｍ、幅２ｍｍ
突起の位置と数：中心より１８０ｍｍφの位置に７２ケ
中心より１６０φの位置に７２ケ
高さ０．５ｍｍ半球状
嵌合片の数    ：１２０°の位置に逆Ｌ字形フックを３ケ設けた。
蓋体    ：外径２２６ｍｍφ、高さ１６８ｍｍ
膨出壁        ：内径２２３．６ｍｍφ、高さ２１ｍｍ
フック受部    ：Ｕ字溝の深さ１ｍｍ
天板          ：外径１６０ｍｍφ
【実施例２】
【００３４】
所定の金型を用いてポリプロピレンを射出成形して、図７、図８に示す容器本体１’と図１に示す蓋体２を備えたケーキ用包装容器を作製した。なお、寸法は下記の通りとした。
容器本体：外径２３０ｍｍφ
底板          ：高さ５ｍｍとし、１ｍｍ高さの階段を５段設けた。
第一垂下壁    ：外径２２０ｍｍφ
第二垂下壁    ：外径２２３ｍｍφ
ガイド部      ：中心より６０°間隔で放射線状に６本形成。
高さ２ｍｍ、幅２ｍｍ
突起の位置と数：中心より１８０ｍｍφの位置に７２ケ
中心より１６０φの位置に７２ケ
高さ０．５ｍｍ半球状
嵌合片の数    ：１２０°の位置に逆Ｌ字形フックを３ケ設けた。
蓋体    ：高さ１６８ｍｍ外径２２６ｍｍφ
膨出壁        ：内径２２３．６ｍｍφ、高さ２１ｍｍ
フック受部    ：Ｕ字溝の深さ１ｍｍ
天板          ：外径１６０ｍｍφ
【００３５】
実施例１、２で作製したケーキ用包装容器を用いてそれぞれの容器本体の底板上面に５号デコレーションケーキを載置し、蓋体を被せ閉蓋した。実施例１、２のケーキ用包装容器とも突起が目印となり、デコレーションケーキを容器本体の中心に簡単に載置できた。ケーキ用包装容器の把手を手で掴み、腕を振り幅約６０ｃｍとして前後に振りながら振り子運動を往復５０回させた後、開蓋したところデコレーションケーキの位置ずれは殆ど認められなかった。さらに、ケーキナイフをガイド部の位置に合せて切取ることにより簡単にケーキを６等分することができ、カットされたケーキを形崩れすることなくサーバーで容易に取り分けることができた。
【図面の簡単な説明】
【００３６】
【図１】本発明にかかるケーキ用包装容器の一実施形態を示す斜視図である。
【図２】本発明にかかるケーキ用包装容器の容器本体を示す平面図である。
【図３】図２のＸ−Ｘ線断面図である。
【図４】本発明にかかるケーキ用包装容器の蓋体を示す図１のＹ−Ｙ線断面図である。
【図５】本発明の一実施形態の使用状態を示す斜視図である。
【図６】図５のＺ−Ｚ線断面図である。
【図７】本発明にかかるケーキ用包装容器の容器本体のその他の実施形態を示す平面図である。
【図８】図７のＸ’−Ｘ’線断面図である。
【符号の説明】
【００３７】
１、１’                        容器本体
２                              蓋体
３                              デコレーションケーキ
１０、１０’                    底板
１１                            垂下壁
１１ａ                          第一垂下壁
１１ｂ                          第二垂下壁
１２                            フランジ
１３                            中心部
１４                            ヒンジ部
１５                            嵌合片
１５ａ                          フック部
１６                            ガイド部
１７                            畝
１７ａ                          緩斜面
１７ｂ                          急斜面
１８                            突起
２０                            天板
２１                            側壁
２２                            開口部
２３                            フック受部
２４                            膨出壁
２５                            保冷剤収納部
２５ａ                          通気口
２６                            把手
２７                            把手収納部
Ａ                              ケーキ用包装容器
θ1 、θ2                        傾斜角
【図１】
2010013158.tif 000003
【図２】
2010013158.tif 000004
【図３】
2010013158.tif 000005
【図４】
2010013158.tif 000006
【図５】
2010013158.tif 000007
【図６】
2010013158.tif 000008
【図７】
2010013158.tif 000009
【図８】
2010013158.tif 000010